Podtech/llm-jp-corpus-v4-ja_patent huggingface dataset:
(57)【要約】      （修正有）【課題】携帯電話機から出ている電磁波から、シールドクロスを利用して人体への影響を抑制する携帯電話機収納サックを提供する。【解決手段】貼り付けたポケットから携帯電話機の頭がのぞくカンガルーポケット型の携帯電話機収納袋（サック）１を表布２と裏布４の芯地に電磁波遮断繊維（シールドクロス）３を重ね合わせて三層化し、表・裏共に一体縫製して構成する。前記構造とすることにより、当該サックに携帯電話機を収納したまま長時間胸ポケット等に入れて身体に密着させたとしても携帯電話機から出ている電磁波から人体への影響を抑制する。【選択図】図２
0003148497.tif 000002
【実用新案登録請求の範囲】
【請求項１】
貼り付けたポケットから携帯電話機の頭がのぞくカンガルーポケット型で、構造は前部ポケット部分・背部とも表布と裏布の間に芯地として電磁波遮断繊維（シールドクロス）を重ね合わせた三層布を使用し一体縫製している携帯電話機収納袋（サック）
【考案の詳細な説明】
【考案の詳細な説明】
【技術分野】
【０００１】  本考案は前部カンガルーポケット部分と背部を、各々表布と裏布の間に芯地としてシールドクロスを重ね合わせた三層布製の携帯電話機収納サックに関するものである。
【背景技術】
【０００２】  従来、シールドクロスは電磁波遮断繊維として広く活用されてきたが、本考案の携帯電話機収納サックのように合わせ布の芯地として使用されているものはなかった。
【考案の開示】
【考案が解決しようとする課題】
【０００３】  携帯電話機から出ている電磁波の人体への影響は、良く分からないまま度々新聞等で取り上げられてきたが、このたび漠然とした不安が中継アンテナ建設周辺住民の現実的な行動で示された。札幌では中継基地局アンテナ建設反対の住民決議により建設が中止に追い込まれた。地上に建っていたはずのアンテナ塔が撤去され高層ビルの屋上に移されていた例もある。昨今携帯電話の普及は目覚しいが、多くのビジネスマンが無造作無防備に電話機を長時間裸のまま心臓に近いワイシャツの胸ポケットや上着の内ポケットに入れているのが現実であり、更に子供たちにもキッズケータイと称して普及が急速に拡がっている。本考案はシールドクロスを芯地とし、様々な形の電話機に密着するよう縫製された布製の携帯電話機収納サックに電話機を収納することにより、子供たち、ワイシャツの胸ポケット、上着の内ポケットに長時間電話機を入れている人たちに対し、携帯電話機から出ている電磁波からの人体への影響を抑制することが可能となり、前述の問題点を抑制し解決しようとするものである。
【課題を解決するための手段】
【０００４】  本考案は携帯電話機収納サックを構成する三層布の芯地にシールドクロスを使用することにより、収納サックの性能、デザインにもなんら影響せずに電磁波から人体への影響を抑制することができ問題点を抑制し解決することができる。
【実施例】
【０００５】  本考案のシールドクロスを芯地とした三層布製携帯電話機収納サックは、背部の天地が携帯電話機を差し込んでも余裕のある１２０ミリから１２５ミリ、貼り付けた前部ポケット部分は電話機の頭部露出を可能な限り少なくしながら着信や出し入れに不自由のない１００ミリから１０５ミリ、幅は電話機の厚さを吸収し密着できる７５ミリから８０ミリとなっている。出し入れが簡単な上に軽く、電話機に密着した一体感により使用時以外常時サックに収納したままワイシャツの胸ポケットや身体に密着させたとしても電話機から出ている電磁波の影響を抑制することができる。【０００６】  三層布地の加工は簡単自由でお年よりから子供まで年齢性別を超えて生地柄のデザインに合わせ多くの楽しいバリエーションを提供することができる。【０００７】  以下、添付図面を説明する。一体縫製されている前部カンガルーポケット部分と背部それぞれに三層布の芯地としてシールドクロスが使われている。
【産業上の利用可能性】
【０００８】  本考案の実施例は上述の如き構成からなるものである。メーカーのシールドクロスの性能説明通りテストをしてみた結果を記述する。携帯電話機の大部分はシールドクロスに囲まれて電磁波が遮断されているため、電波は頭部開放部分のみに着信する。僅かに露出している頭部開放部に別の収納サックをかぶせて電波の出入りする隙間が出来ないよう完全に密着させてみた。結果は送信側に切断マークが表示され、不通コールが聞こえてきた。電磁波も着信電波もシールドクロスにより遮断されていることが実証されたことになる。つまり前部カンガルーポケット部分からも身体側に密着する背部からも電磁波が洩れていない証明となった。以上のことから電磁波による誤作動を避けるため携帯電話を利用出来ないペースメーカーを使用している人々や治療にあたる医師等医療分野での活用も期待される。
【図面の簡単な説明】
【０００９】
【図１】本考案の収納サックの正面図である
【図２】本考案の三層布の断面図（拡大）である
【符号の説明】
【００１０】  １収納サック本体
２表布
３電磁波遮断繊維（シールドクロス）
４裏布
【図１】
0003148497.tif 000003
【図２】
0003148497.tif 000004
(57)【要約】      （修正有）【課題】容易にロウソクに着火することができるロウソク風除け具を提供する。【解決手段】内部が空洞で透明の防風筒１と台座２からなるロウソク風除け具において、その内部に置かれている、受け座３と支持針４で構成されたロウソク立て５を、引き抜き棒６と持ち上げ部７からなる取り出し具で、上部の通気口８から取り出すことで容易にロウソクに着火できるようにしたことを特徴とする。【選択図】図１
0003148500.tif 000002
【実用新案登録請求の範囲】
【請求項１】
内部が空洞で透明の防風筒（１）と台座（２）からなるロウソク風除け具において、その内部に置かれている、受け座（３）と支持針（４）で構成されたロウソク立て（５）を、引き抜き棒（６）と持ち上げ部（７）からなる取り出し具で、上部の通気口（８）から取り出す手段としたロウソク風除け具。
【考案の詳細な説明】
【技術分野】
【０００１】  本考案は、透明のロウソク風除け具内部に置かれた、受け座と支持針からなるロウソク立てを、上部の通気口から上に持ち上げる手段に関するものである。
【背景技術】
【０００２】
【特許文献１】特開平２００６−１８３３９６号  上記の特開平２００６−１８３３９６号では、ロウソク本体に防風カバーが取り付けられてロウソクの炎を保護している。【０００３】  そのほかのロウソク風除け具は、基台にロウソク立ての支持針が固設されて、カバーを取り外してロウソクに着火していた。
【考案の開示】
【考案が解決しようとする課題】
【０００４】  解決しようとする問題点は、従来のロウソク風除け具は、基台にロウソク立ての支持針が固設のため、ロウソクに着火するときは、基台から防風カバーを持ち上げて取り外していた。
【課題を解決するための手段】
【０００５】  そのため、本考案は、内部が空洞で透明の防風筒（１）と台座（２）からなるロウソク風除け具において、その内部に置かれている、受け座（３）と支持針（４）で構成されたロウソク立て（５）を、引き抜き棒（６）と持ち上げ部（７）からなる取り出し具で、上部の通気口（８）から取り出す手段としたロウソク風除け具。【０００６】  内部が空洞の透明体の防風筒（１）は、光が外部から視認できればよく、また、形状は円筒形が望ましく、防風筒と台座は一体型、分離式のいずれでもよい。【０００７】  内部に置かれている、受け座（３）と支持針（４）で構成されたロウソク立て（５）を引き抜き棒（６）下部の持ち上げ部（７）は、ロウソク立ての底部でもよいが、受け座（３）を持ち上げるため、受け座（３）の形状とした輪もしくは一部欠損の輪の形状が好ましく、ロウソク立ての受け座（３）と固着であってもよく、また、分離式でもよい。【０００８】  引き抜き棒（６）は、透明体の防風筒（１）より長く、同透明体の防風筒（１）上部から屈折して把手（１０）とする構造がよい。【０００９】  透明体の防風筒（１）と台座（３）からなるロウソク風除け具の上部の通気口（８）の大きさは、風が入りにくいよう小さいほどよいが、ロウソク立ての受け座（３）が取り出せる大きさである。
【考案の効果】
【００１０】  受け座（３）と支持針（４）からなるロウソク立て（５）を、引き抜き棒（６）と持ち上げ部（７）からなる取り出し具で、上部の通気口（８）から取り出す手段としたことで、ロウソクに着火が容易になった効果がある。
【考案を実施するための最良の形態】
【００１１】  本考案を実施するための最良の方法は、受け座（３）と支持針（４）で構成されたロウソク立て（５）に、引き抜き棒（６）と持ち上げ部（７）からなる取り出し具を、あらかじめ取り付けておくことである。
【実施例】
【００１２】  以下本考案の実施の形態を図面に基づいて具体的に説明する。
図１は、本考案本考案にかかわるロウソク風除け具の全体図である。内部が空洞で、透明の防風筒（１）の上部に、引き抜き棒上部の屈折した把手（１０）を指でつまんで、防風筒（１）の通気口（８）よりロウソク立て（５）を取り出して、支持針（４）に立てられているロウソクに着火してから防風筒（１）に収める。【００１３】  図２の（イ）及び（ロ）は、本考案にかかわる引き抜き棒と持ち上げ部からなる取り出し具の全体図である。
図２の（イ）の図は、引き抜き棒下部の持ち上げ部の構造が、受け座（３）の形状とした一部欠損の輪の形状であって、受け座（３）下方の細い部分から差し込んであらかじめ入れておき、そして、透明体の防風筒（１）に入れて、ロウソクの着火の際は、引き抜き棒上部の把手（１０）を指でつまんで、透明体の防風筒（１）から取り出して行うロウソク風除け具である。【００１４】  図２の（ロ）の図は、引き抜き棒（６）下部の持ち上げ部（７）が屈折のみの構造である。受け座（３）の左右側面２カ所に孔を空けた部分に、持ち上げ部（７）の先端部（９）を差し込んでから、透明体の防風筒（１）に入れて、ロウソクの着火の際は、引き抜き棒（６）上部の把手（１０）を指でつまんで、透明体の防風筒（１）から取り出して行うロウソク風除け具である。
【図面の簡単な説明】
【００１５】
【図１】本考案にかかわる全体図である。
【図２】本考案にかかわる取り出し具の全体図である。
【符号の説明】
【００１６】  １  防風筒
２  台座
３  受け座
４  支持針
５  ロウソク立て
６  引き抜き棒
７  持ち上げ部
８  通気口
９  先端部
１０  把手
【図１】
0003148500.tif 000003
【図２】
0003148500.tif 000004
(57)【要約】      （修正有）【課題】構造簡単で非常に安価であり、圧送タンクも必要でなく、洗浄が容易で衛生的で、食品、薬品等にも適応出来るシリンジ充填補具を提供する。【解決手段】液容器に内接する落とし蓋２に、シリンジ連結部を貫通穴４と共に設ける。シリンジ連結部は、シリンジ８の吐出口又は後方開口部とする。補具１を容器７内に投入し、インロー３にシリンジ８の開放口をあてがう。シリンジ８の吐出口にチュウブ継ぎ手９を装着して真空ポンプに連結する。真空ポンプを駆動すると、容器７内の液は貫通穴４を通りシリンジ側に吸引充填される。シリンジ８の端面とＯリング５は接触して真空漏れを防止する。所要量吸入したら真空ポンプの駆動を停止し、補具１からシリンジ８を分離して充填作業を終わる。リップ６は容器７内面と密着し、内径の誤差やテーパーを吸収する。【選択図】図１
0003148491.tif 000002
【実用新案登録請求の範囲】
【請求項１】
円盤の上面に、シリンジの後部開放口と嵌合するインローを貫通穴と共に設置したシリンジ充填補具。
【請求項２】
円盤の上面に、シリンジの吐出口と嵌合するルアーロック部を貫通穴と共に設置したシリンジ充填補具。
【考案の詳細な説明】
【技術分野】
【０１】容器内のグリス、ペースト、塗料、インク、絵の具、ペースト等粘度の高い液体をシリンジ等に充填する際に用いる補具に関する。
【背景技術】
【０２】従来、撹拌脱泡機（液容器を自転と公転さす）で撹拌脱泡した液をディスペンサーシリンジに充填するには、圧送タンク内に液容器を投入し、液中に突入する吸い上げ管上部にシリンジ吐出口を連結し、圧送タンク内に圧縮エアを導入して液を加圧する。
加圧された液は吸い上げ管を通りシリンジ内に充填される。
ペール缶等の缶入りグリス、接着剤なども同様にしてシリンジや小分けタンクに充填している。【０３】この充填方法は、吸い上げ管内の液が無駄になる。シリンジの吐出口は小径のため、液が出てくる時トグロ巻きになり気泡を巻き込んでしまう。
【発明が解決しようとする課題】
【０４】液を無駄なく、気泡を巻き込まない様にシリンジに移送充填する。圧送タンク、開閉バルブ等は洗浄が困難なので、簡易な装置が望まれる。
【課題を解決するための手段】
【０５】液容器に内接する落とし蓋に、シリンジ連結部を貫通穴と共に設ける。シリンジ連結部は、シリンジの吐出口又は後方開口部とする。
【０６】この落とし蓋を液容器に投入し、シリンジを連結し、シリンジ上方より真空ポンプで吸引すると、液容器内の液はシリンジに吸入充填される。
【実施例１】
【０７】補具１は、撹拌脱泡機用の容器と内接する外形の円盤２の中央上面に、シリンジの後部開放口と嵌合するインロー３を貫通穴４と共に設置する。インロー３の根元にＯリング５を装着する。円盤２は薄肉構造とし、外周部は少し皿状にしたリップ６とする。
【作用】
【０８】補具１を容器７内に投入し、インロー３にシリンジ８の開放口をあてがう。シリンジ８の吐出口にチュウブ継ぎ手９を装着して真空ポンプに連結する。真空ポンプを駆動すると、容器７内の液は貫通穴４を通りシリンジ側に吸引充填される。
シリンジ８の端面とＯリング５は接触して真空漏れを防止する。所要量吸入したら真空ポンプの駆動を停止し、補具１からシリンジ８を分離して充填作業を終わる。
リップ６は容器７内面と密着し、内径の誤差やテーパーを吸収する。
【効果】
【０９】吸い上げ管がないので液の無駄がなく、トグロ巻きもなく、気泡を巻き込まないでシリンジに移送充填できる。また真空引きなので脱泡作用を期待できる。撹拌脱泡機用の容器と内接しているので液のほとんどをシリンジに移送できる。
【１０】補具１は構造簡単で非常に安価であり、圧送タンクも必要でなく、さらに安価なシステムを構築できる。補具１は凹凸等がほとんどなく、洗浄が容易であるから衛生的で、食品、薬品等にも適応出来る。例えばケーキクリーム、ソフトクリーム、チョコレート、味噌、整髪クリーム、製薬材料等をシリンジに充填できる。
【実施例２】
【１１】液のトグロ巻きを許せる場合に適応する補具１１を詳述する。【１２】補具１１は実施例１のインロー３をシリンジ吐出口と嵌合するルアーロック部１３に変えたもので、シリンジの吐出口を連結し、作用効果等は実施例１と同じである。
但し吸入口になるシリンジの穴が小径のため、吸入時に液はトグロ巻きになる。
シリンジとの連結はルアロック結合になるのでＯリング５は不要である。【１３】グリス、塗料、樹脂等大容量のペール缶内の液をシリンジ、小容量のタンク等に充填するとき、実施例１、実施例２共にシリンジ連結部が１箇所であるが、これを数箇所、数十箇所に設けることも容易である。この実施例３を詳述する。
【実施例３】
【１４】補具２１は、ペール缶と内接する外形の円盤２２の上面に、シリンジの後部開放口と嵌合するインロー２３を貫通穴２４と共に複数設置する。インロー２３の根元にＯリング２５を装着する。円盤２の外周部は少し皿状にしたリップ２６とする。【１５】作用効果は実施例１と同じで、さらに複数個のシリンジや容器を１度に充填できる。
【図面の簡単な説明】
【１６】
【図１】  実施例１の断面図と、容器に投入し、シリンジを連結した図
【図２】  実施例２の断面図
【図３】  実施例３の断面図
【符号の説明】
【１７】１：補具  ２：円盤  ３：インロー  ４：貫通穴  ５：Ｏリング  ６：リップ
【図１】
0003148491.tif 000003
【図２】
0003148491.tif 000004
【図３】
0003148491.tif 000005
(57)【要約】      （修正有）【課題】基本情報をもとに、調べた関連情報を記入することが可能なうえ、他者に確認してもらうことにより、学習意欲を高めることができるカード学習装置を提供する。【解決手段】基本情報の記載されたカードの裏面に関連情報を書き込む罫線を入れ、他者による確認印スペース６を確保することにより、主体的に取り組める調べ学習が可能になり、評価されることによって学習意欲を高めることができる。【選択図】図２
0003148495.tif 000002
【実用新案登録請求の範囲】
【請求項１】
歴史人物や都道府県、動植物などの関連情報を調べて記入できるようにするため、カードの表面に調べたい事柄の基本情報やイラストを表記し、カードの裏面に罫線や確認印スペースを設けることにより、調べた関連情報を書き込み、他者に調べたことを確認してもらえることを特徴としたカードの構造。
【考案の詳細な説明】
【技術分野】
【０００１】  一般家庭や教育現場で使われる、カード式調べ学習教材の分野
【背景技術】
【０００２】  今日、主体的に学ぶことの重要性が再認識されている。受動的に情報を受け止めるのではなく、自ら進んで情報を集めて考える姿勢がとても重要である。これまでも、調べ学習は、教育現場で取り組まれてきた。パソコンルームのインターネットから集めてきた情報や図書室の資料から集めてきた情報を、ノートや模造紙にまとめる学習である。課題に対して必要な情報を集めるこれらの学習はたしかに効果的であったが、日常的に取り組める活動ではなく、携帯性にも特価していなかった。
一方、携帯性に特価した学習カードがある。これらのカードには様々な情報が記載されており、カードを持ち歩くだけでいつでも知りたいことを積極的に知ることができた。しかし、これらの学習教材は、暗記することに特価した側面はあるものの、記載されている情報を受動的に受け止める形になってしまっており、自ら調べて記録していく主体的な活動には対応できないままでいた。
一般家庭では、主体的に調べ活動を行う場面として夏休みの自由研究がある。しかし季節が限られるため、継続的に調べ学習に取り組む習慣が身につく学習材とはいえなかった。
このように、主体的に学ぶことの重要性が再確認されている中、主体的に学び継続的に調べ学習に取り組め、かつ携帯性の高い学習教材は、これまで提供されてはいなかった。
【考案の開示】
【考案が解決しようとする課題】
【０００３】  基本情報をもとに、調べた関連情報を記入することが可能なうえ、他者に確認してもらうことにより、学習意欲を高めることができるカード学習装置を提供する。
【課題を解決するための手段】
【０００４】  基本情報の記載されたカードの裏面に関連情報を書き込む罫線を入れ、他者による確認印スペースを確保することにより、主体的に取り組める調べ学習が可能になり、評価されることによって学習意欲を高めることができるカードである。
【考案の効果】
【０００５】  上記のように本考案のカードは、関連情報を書き込める欄を設けることによって、自ら調べ学習に取り組みカードを完成させていく満足感と、他者に確認してもうらうことによって、自らの学習を他者に評価してもらう達成感によって、学習意欲が高まり、主体的に調べ学習に取り組むことに役立つ。
【考案を実施するための最良の形態】
【０００６】  調べ学習を行うための基本情報を図１のようにカード表面に記載する。これにより、資料などから関連情報を調べやすくする。また、番号を揃えながら集めたいという欲求や、欠番を補充するために集めたいという欲求を喚起し、高められるようにするために、カード表面に番号を入れる。一方、図２のように、調べた情報を線に沿って書きやすく記入できるようにするために、カードの裏面に罫線を入れる。また、確認印のスペースを罫線の最後の位置に確保する。
【実施例】
【０００７】  一般家庭において、個人あるいは複数で、資料や事典等を用いて関連情報を集め、確認印を押してもらい、主体的かつ意欲的な調べ学習を実施する。【０００８】  教育現場において、カードを児童生徒に配布し、資料や事典等を用いて周辺情報を集め、相互に確認印を押し合い、主体的かつ意欲的な調べ学習を実施する。
【産業上の利用可能性】
【０００９】  一般家庭あるいは教育現場において、歴史人物や都道府県、昆虫や魚などの周辺情報を資料や辞書を用いて主体的かつ意欲的に調べ、他者とネットワークを構築することで相互に学習意欲を高めることが可能して効果的に学習する教材としての利用が可能である。
【図面の簡単な説明】
【００１０】
【図１】  調べ学習カードの表面を示した平面図である。
【図２】  調べ学習カードの裏面を示した平面図である。
【符号の説明】
【００１１】  １  基本情報
２  基本情報のイラスト
３  番号
４  基本情報の区分
５  罫線および関連情報記入スペース
６  確認印スペース
【図１】
0003148495.tif 000003
【図２】
0003148495.tif 000004
(57)【要約】      （修正有）【課題】乳幼児が上手に鼻をかむことができるようにするための鼻かみ練習紙を提供する。【解決手段】ティッシュペーパーの片面に２色の乳幼児の手型を印刷することで、手型の色ごとに左右交互に鼻の穴を押さえて鼻水を出すことを意識させることができ、乳幼児が興味をもって上手に鼻をかむための練習紙となる。【選択図】図１
0003148499.tif 000002
【実用新案登録請求の範囲】
【請求項１】
ティッシュペーパーの片面に２色の乳幼児手型を印刷することで、乳幼児が鼻をかむ際に、手型に手を合わせて交互に鼻をかむことができる練習紙。
【考案の詳細な説明】
【技術分野】
【０００１】  この考案は、ティッシュペーパーの片面に２色の手型を印刷することで、乳幼児がその手型に自分の手をあわせ持ち、鼻かみの際片方ずつ鼻を押さえ交互に鼻をかめるようにする練習紙である。
【背景技術】
【０００２】  従来のティッシュペーパーは無地や絵柄である。
【考案の開示】
【考案が解決しようとする課題】
【０００３】  そのために次のような問題点があった。
乳幼児は鼻をかむ際に上手にティッシュペーパーを持てないことや一つずつの動作が連動できないことが多い。
（１）  片手でティッシュペーパーを持って、鼻から垂れている鼻水だけを拭くことが多い。
（２）  両手で持っても、ティッシュペーパーの中央を持てず、鼻水がはみ出すことも多い。
（３）  ティッシュペーパーを鼻にあてても片方ずつ鼻の穴を押さえ、左右交互に鼻腔内の鼻水を出すのが難しかった。
本考案は、以上の問題点を解決するためのものである。
【課題を解決するための手段】
【０００４】  ティッシュペーパーの片面に２色の乳幼児手型を印刷することで、乳幼児が鼻をかむ際に、手型に手を合わせて交互に鼻をかむことができる練習紙。
【考案の効果】
【０００５】  乳幼児が印刷された手型にあわせ両手でティッシュペーパーを広げ持つことができる。
手型に合わせ、鼻の中央にティッシュペーパーを合わせることができる。
手型の色ごとに左右交互に鼻の穴を押さえ、鼻腔内の鼻水を出すことが意識できる。
楽しみながら興味を持って清潔習慣が身につく。
【考案を実施するための最良の形態】
【０００６】  以下、本考案の実施の形態について説明する。
（１）  ティッシュペーパー
（２）  ティッシュペーパーの片面に２色の乳幼児手型の印刷
【図面の簡単な説明】
【０００７】
【図１】  本考案の平面図
【図２】  本考案の使用状態を示す説明図
【図１】
0003148499.tif 000003
【図２】
0003148499.tif 000004
(57)【要約】      （修正有）【課題】犬などに餌をやる容器において、蟻誘導餌を収納する部位を設けた蟻侵入防止餌入れを提供する。【解決手段】外容器１の中に餌容器２が入った餌入れであって、外容器１の底部の一部には凹部３を設け、また外容器１の底部表面と餌容器２の底部裏面には面フアスナ−５、６が設けて、外容器１と餌容器２を脱着自在に構成する。外容器１の底部の凹部３には蟻を引きつけておく蟻誘導餌４を入れ外容器１までは蟻が侵入してきても、蟻はこの誘導餌４に誘導され餌容器２にまで入ることはない。また外容器１と餌容器２はお互いを取り外しができる面フアスナ−５、６で固定されており、取り外して餌容器２を洗うことができる。【選択図】図２
0003148494.tif 000002
【実用新案登録請求の範囲】
【請求項１】
外容器（１）の中に餌容器（２）が入った餌入れであって、外容器（１）の底部の一部には凹部（３）が設けられ、また外容器（１）の底部表面と餌容器（２）の底部裏面に面フアスナ−（５、６）が設けられていて、外容器（１）と餌容器（２）が脱着自在とされていることを特徴とする蟻侵入防止用餌入れ。
【考案の詳細な説明】
【技術分野】
【０００１】    本考案は外容器の中に餌容器が入った餌入れで、外容器の底部の一部には凹部が設けられ、また外容器の底部表面と餌容器の底部裏面には、お互いを面フアスナ−で固定することができる蟻侵入防止用餌入れに関するものである。
【背景技術】
【０００２】  従来犬などに餌をやる場合、蟻の入らない操作性のよい簡単な餌入れはなっかた。【０００３】  本考案に関する公知技術として次の特許文献１を挙げることができる。
【特許文献１】  特開２００１−２７５５１０
【考案の開示】
【考案が解決しようとする課題】
【０００４】  上述のごとく従来技術に係る蟻の入らない餌入は飲み水入れと一体となっており、この水の効果で蟻が入れないようにするものである。このため蟻が水の中に入ていればその都度蟻を取り除かなくてはそれを使う犬などの健康に悪く、また一回一回水を入れ替えるのは大変である。本発明はこれらの問題点を解決するためになされたものである。
【課題を解決するための手段】  本考案の蟻侵入防止用餌入れは、外容器１の中に餌容器２が入った餌入れであって、外容器１の底部の一部には凹部３が設けられ、また外容器１の底部表面と餌容器２の底部裏面には面フアスナ−５、６が設けられていて、外容器１と餌容器２が脱着自在とされていることを特徴とする。
【考案の効果】
【０００５】  外容器１の底部の凹部３には蟻を引きつけておく蟻誘導餌４が入るようになっており外容器１までは蟻が侵入してきても蟻はこの誘導餌４に誘導され餌容器２にまで入ることはない。また外容器１と餌容器２はお互いを取り外しができる面フアスナ−５、６で固定されており、取り外して餌容器２を洗うことができる。【０００６】蟻誘導餌４は現在食べさせているドックフードなどをほんの少し凹部３にいれるだけなので手間が掛からない。【０００７】    部の深さと広さもドックフード２〜３個が入り込む位で十分である。
【考案を実施するための最良の形態】
【０００８】  外容器１には餌容器２が入れられる。また外容器１には凹部３が設けられ、この中に蟻誘導餌４が入る。そして外容器１の底部表面と餌容器２の底部裏面には、それぞれの一部に取り付けられた面フアスナ−５、６によって固定される。またこの外容器１の面フアスナ−５と餌容器２用面フアスナ−６とが重なると蟻が侵入してきても蟻誘導餌４へ行けるよう外容器用蟻誘導幅隙間幅８と餌容器用蟻誘導隙間幅９が生じる。このため、外容器１を超えて入ってきた蟻は蟻誘導餌４に誘導され、その餌からもう離れようとしない。したがって餌容器２を超え餌本体７までのぼり上がってくることはない。
【実施例】
【０００９】  以下本考案の実施の例を図面１〜４を用いて説明する。外容器１はプラスチック製で寸法を外径２４ｃｍ内径２１ｃｍ，高さ８．５ｃｍ深さ７ｃｍのものを用い、底中央部に直径３ｃｍ深さ１ｃｍの凹部３を設け、底部表面に４枚の外容器用面フアスナ−５を図３に示すように４か所に張り付けた。一方餌容器２としては外径１７．７ｃｍ内径１６ｃｍのステンレス製のものを用い、その上記面フワスナ−５と対応するように面フアスナ−６を４所に張り付けた図４。そして餌容器２には餌本体７を入れ上記凹部には粒状の蟻誘導餌４を数個いれた。【００１０】  外容器１と中容器２の大きさ、形は特に定めはなく、また材質もそれぞれステンレス系であってもプラスチッ系であっても毒性のないものであれば何でもかまわない。
【図面の簡単な説明】
【００１１】
【図１】本考案の実施の一例を示す説明図
【図２】本考案の使用状態を示す説明図
【図３】本考案で用いる外容器の平面図
【図４】本考案で用いる餌容器の平面図
【符号の説明】
【００１２】  １    外容器
２    餌容器
３    凹部
４    蟻誘導餌
５    外容器用面フアスナ−
６    餌容器用面フアスナ−
７    餌本体
８    外容器用の蟻隙間幅
９    餌容器用の蟻隙間幅
【図１】
0003148494.tif 000003
【図２】
0003148494.tif 000004
【図３】
0003148494.tif 000005
【図４】
0003148494.tif 000006
(57)【要約】      （修正有）【課題】容器を液体で満タンにした状態で、容器内の液体を撹拌することができる液体容器を提供する。【解決手段】この有益なモデルは、液体容器、特に回転容器に関するものである。これを使用した結果、水平面上の垂直軸を中心に容器を回転させることにより、容器内の液体を攪拌することができる。この液体容器は、側面壁１及び底２より成る。底２の外面には、容器をその垂直軸を中心に回転させるための構成部品３がついている。この部品３は、半球または円錐状で、容器底の対称軸の交点に配置されている。容器壁の上端がある面は、水平面と平行になっている。【選択図】図１【実用新案登録請求の範囲】
【請求項１】
側面壁と底から構成される液体容器で、容器底の上端面は水平面と平行であり、且つ該外面には、半球又は円錐状の容器回転部品が取り付けられており、この部品は、中心軸の交点に位置することを特徴とする液体容器。
【考案の詳細な説明】
【技術分野】
【０００１】
この考案は、液体容器、特に回転容器に関するものである。
【背景技術】
【０００２】
側壁と底を持ち、容器固定部品に取り付けられた円筒形液体容器（米国特許Ｎｏ．５２９４０１８、ＮＫＩ２２０／６０３、２１５／１００、１９９４年参照）が知られている。
この円筒形容器は、固定して取り付けられているため、容器内の液体を攪拌できない。
また、側面壁と底を持つ液体容器（エレバン特許Ｎｏ．１２１６６３９、７ＭＰＫ  Ａ４７Ｇ１９／２２、Ａ４７Ｇ２３／０２、２００２年）も知られている。
【考案の開示】
【考案が解決しようとする課題】
【０００３】
この液体容器は、水平面に固定して取り付けられているため、垂直軸を中心に回転させることにより容器内の液体を攪拌することができない。
【０００４】
本質的な特徴全体について、提案した有益なモデルに最も近い容器は、側面壁と容器底を持つ液体容器（ロシア共和国特許Ｎｏ．４２９４０、７ＭＰＫ  Ａ４７Ｇ１９／２２、２００５年）である。
【０００５】
この液体容器は、垂直軸を中心に容器を回転させることにより容器内の液体を攪拌することができるが、上端面が水平面に対し傾いているため、容器を液体で満タンにすることができない。
【課題を解決するための手段】
【０００６】
この有益なモデルを使用した結果、水平面上の垂直軸を中心に容器を回転させることにより、容器内の液体を攪拌することができ、このとき、容器を満タンにできる。また、上端が傾いていることにより液体がこぼれる可能性を回避できる。
【０００７】
側面壁と底を持つ液体容器において、半球又は円錐状で中心軸の交点に配置された容器回転部品が容器底の外面に取り付けられていることにより、このような技術的成果が得られる。
【０００８】
容器壁の上端がある平面は、水平面と平行でなければならない。この平面が水平面に対して傾斜している場合、容器重量の垂直軸が、容器回転垂直軸か  ら容器の高い方の縁に向かってずれる。それにより、容器の底が、より大きい圧力を、容器が置かれている表面にかけ、容器が回転するとブレーキ効果を与える。垂直回転軸と容器重量の垂直軸が一致するときにのみ、容器の最大回転効果が可能となる。
【考案を実施するための最良の形態】
【０００９】
この液体容器は、側面壁１と底２より構成される。底２の外面には、容器をその垂直軸を中心に回転させるための部品３が取り付けられている。部品３は、半球又は円錐状で、容器底の対称軸の交点に位置する。容器回転部品３の高さｈは、容器底の半径Ｒにより決まり、容器を回転できる程度に大きく、それを揺動させない程度に小さい値である。側面壁１の上端は、水平面と平行になっている。
【００１０】
本液体容器は、次のように用いられる。容器に任意の飲料を満たし、水平面上の部品３により回転する。加えられる力の値に応じて、容器内の飲料が均一になる。
【図面の簡単な説明】
【００１１】
この有益モデルを図で説明する。
【図１】液体容器の全体図を示す。
【図２】図１の矢視Ａを示す。
【図３】円錐状の容器回転部品を示す。
【符号の説明】
【００１２】
１  側面壁
２  底
３  部品
【図１】
0003148463.tif 000002
【図２】
0003148463.tif 000003
【図３】
0003148463.tif 000004
(57)【要約】      （修正有）【課題】自動車用シガーライターソケット接続用プラグに静電気除去器具を組み合わせて、簡単に備え付けられ、同乗者も利用出来る除電器具を提供する。【解決手段】自動車用シガーライターソケット接続用プラグ１の中に、電導性樹脂４と放電管５を６ａのリード線で繋ぎ６ｂのリード線で放電管５とボタンスイッチ３を繋いだ電導性器具を内蔵し、ボタンスイッチ３をスイッチ式にする為スプリング８を設け、このスイッチを押すことにより電導性樹脂４がマイナス電極２と通電し静電気を除去する。【選択図】図１
0003148467.tif 000002
【実用新案登録請求の範囲】
【請求項１】
自動車のシガーライター電源及びシガーライターソケット部に接続する為のプラグの中に、人体が静電気を放電する際に感じる不快感を軽減させる為に、電導性樹脂や放電管の弱電導性部品を備えた電導性器具を内蔵し、当該プラグを使用する際の車内側にあたる部分の端から電導性器具をボタン状に露出させ、当該ボタンを押す事によりシガーライター電源及びシガーライターソケット接続用プラグのマイナス電極に通電させ静電気を除去するシガーライター電源及びシガーライターソケット接続式静電気除去器具。
【請求項２】
請求項１に記載の機能を持つ物に、シガーライター電源及びシガーライターソケット接続用コードを使用し延長させた物。
【考案の詳細な説明】
【技術分野】
【０００１】  自動車内で人体に蓄積された静電気により、降車時に車の扉等の金属部分に触れた際生じる不快な放電を緩和する除電器具。
【背景技術】
【０００２】  静電気除去装置を取り付けの際、自動車の金属部分に配線する為や見た目上の審美的問題から配線を隠す為に自動車内の内張りや内装等を剥がしてから取り付け、点検、修理、取り外しの際にも同じ作業が必要になる。又キーホルダー型静電気除去器具のような携帯式では同乗者も持参していないと同時に降車出来ない。
【考案の開示】
【考案が解決しようとする課題】
【０００３】  誰でも簡単に取り付け出来、尚且つ同乗者も利用出来る静電気除去器具。
【課題を解決するための手段】
【０００４】  この考案は、自動車のシガーライターソケット接続式の静電気除去器具とし、当該ソケットに接続する為のプラグの中に、静電気放電時人体に不快感のない様にする為、電導性樹脂や放電管等の弱電導性部品を備えた電導性器具を内蔵し、当該電導性器具の一端を、プラス電極部を除去したシガーライターソケット接続用プラグの車内側に露出させ、ボタンスイッチ式にし、当該ボタンスイッチを押す事によりシガーライターソケット接続用プラグのマイナス電極に通電させる。
【考案の効果】
【０００５】  シガーライターソケットにはめ込むだけなので簡単に取り付け取り外しが可能であり、同乗者も使用可能になる。
【考案を実施するための最良の形態】
【０００６】  プラス電極を除去した自動車のシガーライターソケット接続用プラグの中に、弱電導性部品を備えた電導性器具を内蔵させる。当該電導性器具は、車内側方向先端部分にボタンスイッチ式にする為凸状に電導性の材料を用いて車内側に露出させ、ここから車両側方向に放電管の一方のリード線を接続し、もう一方は車両側方向先端に電導性樹脂を用い接続する。又、車内側方向先端のボタンスイッチ内側から車両側方向先端の電導性樹脂内側を非電導性硬質樹脂で繋ぐ。当該電導性器具を囲むようにコイル状スプリングをボタンスイッチの内側に配置し、ボタンスイッチを押したときに、車両側方向先端の電導性樹脂がシガーライターソケット接続用プラグのマイナス電極に通電し、ボタンスイッチを放すと非通電となる構造であり、通電の際に発光した放電管が確認できるように、透明又は半透明の樹脂でプラグに窓を設ける。
【実施例】
【０００７】  以下、添付図面に従って一実施例を説明する。１のプラス電極を除去したプラグ本体の中に、４の電導性樹脂と３のボタンスイッチ間に５の放電管を通電するように接続する。３のボタンスイッチを押した際に４の電導性樹脂に力を伝えて２のマイナス電極に通電させる為に、７の非電導性硬質樹脂で３と４を繋ぎ、９の誘導用の壁を設ける。８のスプリングは１０の留め具と７の樹脂により余計な動きを制御する。
【図面の簡単な説明】
【０００８】
【図１】本考案のシガーライタープラグ式静電気除去器具の一実施例を示す断面図である。
【図２】プラグに設けた窓側から見た図である。
【符号の説明】
【０００９】  １  プラス電極を除去したシガーライターソケット接続用プラグ本体
２  マイナス電極
３  ボタンスイッチ
４  電導性樹脂
５  放電管
６ａ放電管リード線車両側
６ｂ放電管リード線車内側
７  非電導性硬質樹脂
８  コイル状スプリング
９  電導性器具の誘導用壁
１０コイル状スプリング用留め具
１１透明樹脂又は半透明樹脂の窓
【図１】
0003148467.tif 000003
【図２】
0003148467.tif 000004
【手続補正書】
【提出日】平成20年9月11日(2008.9.11)
【手続補正１】
【補正対象書類名】実用新案登録請求の範囲
【補正対象項目名】請求項２
【補正方法】削除
【補正の内容】
【手続補正書】
【提出日】平成20年12月1日(2008.12.1)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
自動車のシガーライター電源及びシガーライターソケット部に接続する為のプラグの中に、人体が静電気を放電する際に感じる不快感を軽減させる為に、電導性樹脂や放電管の弱電導性部品を備えた電導性器具を内蔵し、当該プラグを使用する際の車内側にあたる部分の端から電導性器具をボタン状に露出させ、当該ボタンを押す事によりシガーライター電源及びシガーライターソケット接続用プラグのマイナス電極に通電させ静電気を除去するシガーライター電源及びシガーライターソケット接続式静電気除去器具。
(57)【要約】      （修正有）【課題】打ち粉を均等に素早く正確な厚さに敷くことができる駒板を提供する。【解決手段】駒板に包丁の刃が接する側と反対側の両端の末端に突起をつけることにより、まな板と駒板に隙間が設けられるので、まな板の端に適量の打ち粉を盛りつけた外側に駒板の突起部分をまな板に垂直に立ててまな板と平行にスライドさせると打ち粉が突起部分のまな板との間隔で均等な厚さに敷くことができ、さらに駒板の角度を変えることによって打ち粉の厚みを調整できる。【選択図】図１
0003148469.tif 000002
【実用新案登録請求の範囲】
【請求項１】
まな板表面の端に打ち粉を盛り、駒板を横にスライドさせて打ち粉を均等に素早く正確な厚さに敷くことができることを特徴とする駒板。
【請求項２】
麺切りに使用する駒板の包丁が接する側と反対側の辺の両端に突起を設けた形状であることを特徴とする請求項１に記載の駒板。
【考案の詳細な説明】
【技術分野】
【０００１】本考案は駒板に関するものであり、特に麺切り用の駒板に関するものである。
【背景技術】
【０００２】従来は、麺切り作業まえの工程で、まな板表面に多少の凹凸があるため打ち粉をたっぷり手に掴んでまな板表面に厚く振りまくか、篩い機で打ち粉を均等になるように振りまいていた。
【考案の開示】
【考案が解決しょうとする課題】
【０００３】従来、まな板の表面に打ち粉を厚く敷くには手の平で打ち粉を掴んでまな板上に振りまいていたが均等な厚さに敷くのは困難でまな板周囲にも飛散していた、又、篩い機を使用すると比較的均等に敷けるがまな板の周囲に飛散し手間と時間を費やしていた。
【課題を解決するための手段】
【０００４】まな板表面の端に打ち粉を盛り、駒板を横にスライドさせて打ち粉を均等に素早く正確な厚さに敷くことができる駒板である。
【０００５】麺切りに使用する駒板の包丁が接する側と反対側の辺の末端の両側に突起を設ける。
【考案の効果】
【０００６】打ち粉を短時間で思った厚さに均すことが出来て他に飛散しない効果がある。
【考案を実施するための最良の形態】
【０００７】図１は、本考案の駒板１であり、駒板１の包丁が接する側の包丁接点２と反対側の辺の両側に突起部分３を設けている。突起部分３の高さは５〜１５ｍｍ、更に好ましくは８〜１２ｍｍで先端は鋭角とする。【０００８】駒板１の突起部３をまな板２面に当てるとまな板４と駒板１に隙間が設けられるので、図２に示すように、まな板４の端に５のように適量の打ち粉を盛りつけた外側に駒板１の突起部分３をまな板４面に当ててまな板４と平行にスライドさせると、６のように打ち粉が突起部分３のまな板４との隙間で均等な厚さに敷くことができ、さらに駒板１の傾斜角度を変えることによって打ち粉の厚みを調整できる。
【図面の簡単な説明】
【０００９】
【図１】駒板本体を示す斜視図
【図２】駒板で打ち粉を均す分解図
【符号の説明】
【０００１０】１        駒板
２        包丁接点
３        突起部分
４        まな板
５        打ち粉盛り付け
６        均等に均された打ち粉
【図１】
0003148469.tif 000003
【図２】
0003148469.tif 000004
【手続補正書】
【提出日】平成20年11月5日(2008.11.5)
【手続補正１】
【補正対象書類名】実用新案登録請求の範囲
【補正対象項目名】全文
【補正方法】変更
【補正の内容】
【実用新案登録請求の範囲】
【請求項１】
麺切りに使用する駒板において、包丁が接する側と反対側の辺の両端に突起を設けた形状であることを特徴とする駒板。
【手続補正２】
【補正対象書類名】明細書
【補正対象項目名】全文
【補正方法】変更
【補正の内容】
【考案の詳細な説明】
【技術分野】
【０００１】本考案は駒板に関するものであり、特に麺切り用の駒板に関するものである。
【背景技術】
【０００２】従来は、麺切り作業まえの工程で、まな板表面に多少の凹凸があるため打ち粉をたっぷり手に掴んでまな板表面に厚く振りまくか、篩い機で打ち粉を均等になるように振りまいていた。
【考案の開示】
【考案が解決しょうとする課題】
【０００３】従来、まな板の表面に打ち粉を厚く敷くには手の平で打ち粉を掴んでまな板上に振りまいていたが均等な厚さに敷くのは困難でまな板周囲にも飛散していた、又、篩い機を使用すると比較的均等に敷けるがまな板の周囲に飛散し手間と時間を費やしていた。
【課題を解決するための手段】
【０００４】麺切りに使用する駒板において、包丁が接する側と反対側の辺の両側に突起を設けた駒板である。
【考案の効果】
【０００５】まな板表面の端に打ち粉を盛り、駒板を横にスライドさせて打ち粉を均等に素早く正確な厚さに敷くことができる駒板である。
【０００６】打ち粉を短時間で思った厚さに均すことが出来て他に飛散しない効果がある。
【考案を実施するための最良の形態】
【０００７】図１は、本考案の駒板１であり、駒板１の包丁が接する側の包丁接点２と反対側の辺の両側に突起部分３を設けている。突起部分３の高さは５〜１５ｍｍ、更に好ましくは８〜１２ｍｍで先端は鋭角とする。【０００８】駒板１の突起部３をまな板２面に当てるとまな板４と駒板１に隙間が設けられるので、図２に示すように、まな板４の端に５のように適量の打ち粉を盛りつけた外側に駒板１の突起部分３をまな板４面に当ててまな板４と平行にスライドさせると、６のように打ち粉が突起部分３のまな板４との隙間で均等な厚さに敷くことができ、さらに駒板１の傾斜角度を変えることによって打ち粉の厚みを調整できる。
【図面の簡単な説明】
【０００９】
【図１】駒板本体を示す斜視図
【図２】駒板で打ち粉を均す分解図
【符号の説明】
【０００１０】１        駒板
２        包丁接点
３        突起部分
４        まな板
５        打ち粉盛り付け
６        均等に均された打ち粉
(57)【要約】      （修正有）【課題】吸引器本体の中にストレスや環境による空気汚染等が持たらす病気や老化等を解消、防止するエキス剤を配置し、直接吸引する事で病気、老化等の防止に役立つ携帯型冷・温風癒し健康吸引器を提供する。【解決手段】携帯型吸引器本体１に、深緑の醸だす空気と香りと脳、肺、呼吸気管の機能を活発にさせる固形チップ型のエキス剤５と、吸出・吹出小型ファンモーター３，７や冷・温装置６などの装置を設け、清浄された空気を冷、温風にして常時、手軽に快適に直接吸引する事ができるようにする。【選択図】図２
0003148466.tif 000002
【実用新案登録請求の範囲】
【請求項１】
携帯型ボトルケースの中に深緑の空気と香りを醸だし、脳、肺、呼吸気管の機能を活発にする植物、菊の花、ハチミツ他等のエキスを固形チップ型の空気発生するエキス剤にして、冷、温装置、空気清浄装置等と設け、携帯で常時、手軽にいつでも、どこでも、直接吸引する事が出来る癒し、健康吸引器で清浄された空気を夏は冷たく、冬は温かく吸引出来るところを特徴とする癒し、健康吸引器である。又携帯用エアコンとしても使用できる。
【考案の詳細な説明】
【技術分野】
【０００１】  本考案は、携帯型のボトルケースの中に癒し、健康になるための植物、菊の花、ハチミツ、他等を固形チップ型のエキス剤にして冷、温風装置、空気清浄装置等を設置し癒し、健康になるための吸引器に関するものである。
【背景技術】
【０００２】  現代社会におけるストレスや環境による空気汚染等を常時、手軽に解消、防止する事はほとんど出来無かった。
【考案の開示】
【考案が解決しようとする課題】
【０００３】  ストレスや環境による空気汚染他等で脳、肺、呼吸気管の病気、老化他等を持たらす事が多い、そのストレスや環境による空気汚染他等を解消、防止する事で前述の欠点を解決しようとするものである。
【課題を解決するための手段】
【０００４】  本考案は、吸引器本体に深緑の醸だす空気と香り、又脳、肺、呼吸気管の機能を活発に気のめぐりを良くする植物、菊の花、ハチミツ、他等を空気発生する固形チップ型のエキス剤にして冷、温装置、空気清浄装置、他等を携帯型ボトルケースの中に設置して、清浄された空気を夏は冷たく、冬は温かく、常時、手軽にいつでも、どこでも、直接吸引する事で高い効果が有り、問題点を解決している。
【考案の効果】
【０００５】  上述の様に、本考案の携帯型冷、温風、癒し健康吸引器は、常時、手軽にいつでも、どこでも、直接吸引する事で脳、肺、呼吸気管の機能を活発にして高い効果が有り、薬と違って副作用が無く、気のめぐりを良くし病気や老化防止に役立つ。
【考案の実施するための最良の形態】
【０００６】  携帯型吸引器本体の中に冷、温風装置、空気清浄装置を設け、空気発生する固形チップ型のエキス剤を小型ファンモーターで吸出して、清浄した空気を冷、温風にして小型ファンモーターで吹出して、直接吸引する。
【実施例】
【０００７】  以下、添付図面に従って一実施例を説明する。Ｉはプラスチックス等適宣素材にて一体化形成された吸引器本体、２は深緑の醸だす空気と香り、脳、肺、呼吸気管の機能を活発にするエキス剤とその空気を醸だす装置等を設けた吸引器の内面、３は吸出小型ファンモーター、４空気清浄装置、５固形チップ型エキス剤、６冷、温装置、７吹出小型ファンモーター、８充電装置、８ａコンセント、９エキス剤の取入口、１０キャップ、１１が本体のスイッチである。【０００８】  本考案の一実施例は上述の如き構成からなるものであるから、喫煙されない方も勿論であるが、喫煙者の方には最適である。
【図面の簡単な説明】
【０００９】
【図１】本考案の携帯型冷、温風癒し、健康吸引器の一実施例を示す正面図である。
【図２】本吸引器の全部の内面図である。
【符号の説明】
【００１０】１    吸引器本体                    ８    充電装置
２    吸引器本体の内面              ８ａ  コンセント
３    吸出小型ファンモーター        ９    エキス剤の取入口
４    空気清浄装置                  １０  キャップ
５    固形チップ型のエキス剤        １１  本体のスイッチ
６    冷、温装置                    １２  冷、温スイッチ
７    吹出小型ファンモーター
【図１】
0003148466.tif 000003
【図２】
0003148466.tif 000004
【手続補正書】
【提出日】平成20年9月1日(2008.9.1)
【手続補正１】
【補正対象書類名】実用新案登録請求の範囲
【補正対象項目名】全文
【補正方法】変更
【補正の内容】
【実用新案登録請求の範囲】
【請求項１】
携帯型ボトルケースの中に深緑の空気と香りを醸だし、
「吸引において、
（１）脳、肺、呼吸気管の機能を活発にして、
（２）チップ形式の空気発生するエキス剤と装置等を設け、
（３）冷、温風で常時手軽にいつでも、どこでも、吸引出来て、携帯型エアコンとしても使用出来る、
以上からなる癒し、健康吸引器。」
【手続補正書】
【提出日】平成20年11月4日(2008.11.4)
【手続補正１】
【補正対象書類名】実用新案登録請求の範囲
【補正対象項目名】全文
【補正方法】変更
【補正の内容】
【実用新案登録請求の範囲】
【請求項１】
携帯型ボトルケースの中に、冷、温風装置と、空気清浄装置と、新緑の香りを醸だし、脳、肺、呼吸気管の機能を活発に空気発生する固形チップ型のエキス剤と、前記エキス剤を吸出して、清浄した空気を冷、温風にして吸出する小型ファンモーターを設けた、癒し健康吸引器。
(57)【要約】      （修正有）【課題】釣り糸にかかる負担を減らし釣り糸切れなどを防ぐことができるルアーを提供する。【解決手段】ルアーの内部にウレタン性クッションゴムを内蔵することで釣り糸にかかる負担が軽減でき糸切れを防ぐことができる。ウレタン性クッションゴムのクッションの効果で細い釣り糸を使うことができ、キャスティング（ルアーの遠投）距離を伸ばすことができるようになる。【選択図】図２
0003148468.tif 000002
【実用新案登録請求の範囲】
【請求項１】
魚釣りで使うルアーにウレタン性クッションゴムを内蔵し思わぬ大物による釣り糸切れ、アワセ切れなどを防ぐ効果のあるルアー。
また，ウレタン性クッションゴムのクッションの効果で細い釣り糸が使うことができキャスティング（ルアーの遠投）距離を伸ばすことができるルアー。
【請求項２】
現在使われているルアー（エギ、ミノー、バイブレーション、ポッパー、ペンシル、トップウォーター、ジグ）すべてに適用できる。
【考案の詳細な説明】
【技術分野】
【０００１】本考案は，魚釣りで使うルアーに関する。
【背景技術】
【０００２】従来のルアーにはウレタン性クッションゴムのクッションがなく糸切れすることがあった。
【考案の開示】
【考案が解決しようとする課題】
【０００３】しかし、これでは大物がかかった時やアワセのときに糸が切れることがあった。
また，ウレタン性クッションゴムのクッションの効果で細い釣り糸が使うことがキャスティング（ルアーの遠投）距離を伸ばすことができる。
【課題を解決するための手段】
【０００４】そこで、図２  図３  図４  図５のようにウレタン性クッションゴムをルアー内に内臓することで釣り糸にかかる負担を減らし釣り糸切れなどを防ぐことができる。
【考案の効果】
【０００５】よって、本考案により思わぬ大物による釣糸切れ、アワセ切れを防ぐ効果がある。
また，ウレタン性クッションゴムのクッションの効果で細い釣り糸が使うことができキャスティング（ルアーの遠投）距離を伸ばすことができるルアー。
【考案を実施するための最良の形態】
【０００６】本考案に係るルアーは図２、図３、図４、図５に示すように１ウレタン性クッションゴムを備えている。
１ウレタン性クッションゴムは図４のように２、固定ピンでルアー内に固定する。
１．は素材はウレタン性クッションゴムが望ましい。２．固定ピンはステンレスが望ましい。
【図面の簡単な説明】
【０００７】
【図１】従来のルアーの側面図である。
【図２】正面斜めから見た本考案のルアーの図である。
【図３】本考案ルアー側面図。
【図４】本考案のルアーの側面からの断面図である。
【図５】本考案の上部からの断面図である。
【符号の説明】
【０００８】１．ウレタン性クッションゴム
２．固定ピン（ステンレス製）
【図１】
0003148468.tif 000003
【図２】
0003148468.tif 000004
【図３】
0003148468.tif 000005
【図４】
0003148468.tif 000006
【図５】
0003148468.tif 000007
【手続補正書】
【提出日】平成20年11月4日(2008.11.4)
【手続補正１】
【補正対象書類名】実用新案登録請求の範囲
【補正対象項目名】全文
【補正方法】変更
【補正の内容】
【実用新案登録請求の範囲】
【請求項１】
魚釣りで使うルアー（疑似餌）魚本物そっくりに似せて作った餌に針をつけたものにウレタンクッションゴムを内蔵し思わぬ大物による釣糸切れアワセ切れを防ぐ効果があり
また，ウレタンゴムのクッションの効果で細い釣糸が使うことができキャスティングの距離を伸ばすことができるルアー。